(57)【要約】【課題】医療器具管理装置を使用する使用者にとって適切な使用料金を算出し、かつ、医療器具管理装置の提供者にとって使用料金に関する作業時間を短縮することができる。【解決手段】使用料金算出装置５０は、少なくとも１つ以上の読取装置３０に接続された受信部５３であって、医療器具５の識別標識６が読取装置３０によって読み取られた際の読取情報１０２および使用者情報１０３を関連付けられた状態で受信する受信部５３と、受信部５３によって受信された読取情報１０２と使用者情報１０３とに基づいて、受信部５３が受信した読取情報１０２の数である使用回数を使用者ごとにカウントする回数カウント部５５と、回数カウント部５５によってカウントされた使用者ごとの使用回数と、予め定められた単価とに基づいて、使用者ごとに使用料金を算出する料金算出部５７とを備えている。【選択図】図３
2020008980.tif 000002
【特許請求の範囲】
【請求項１】
少なくとも１つ以上の読取装置に直接または間接的に接続された受信部であって、医療器具に設けられた識別標識が前記読取装置によって読み取られた際の読取情報、および、前記読取情報と関連付けられて記録され、前記読取装置を使用する使用者を特定する使用者情報を受信する前記受信部と、
前記受信部によって受信された前記読取情報と前記使用者情報とに基づいて、前記受信部が受信した前記読取情報の数である使用回数を前記使用者ごとにカウントする回数カウント部と、
前記回数カウント部によってカウントされた前記使用者ごとの前記使用回数と、予め定められた単価とに基づいて、前記使用者ごとに使用料金を算出する料金算出部と、
を備えた、医療器具管理装置用の使用料金算出装置。
【請求項２】
前記料金算出部は、前記回数カウント部によってカウントされた前記使用者ごとの前記使用回数に、前記単価を掛け合わせることで、前記使用料金を算出する、請求項１に記載された医療器具管理装置用の使用料金算出装置。
【請求項３】
前記読取情報には、前記医療器具に付された前記識別標識が前記読取装置によって読み取られた際の読取日が含まれている、請求項１または２に記載された医療器具管理装置用の使用料金算出装置。
【請求項４】
前記回数カウント部は、前記読取日に基づいて、所定の期間の間の前記使用回数を前記使用者ごとにカウントする、請求項３に記載された医療器具管理装置用の使用料金算出装置。
【請求項５】
前記受信部は、前記医療器具に対して所定の作業が行われる所定の工程において、前記作業が行われる前に前記医療器具に付された前記識別標識が読み取られた際の前記読取情報および前記使用者情報を受信する、請求項１から４までの何れか１つに記載された医療器具管理装置用の使用料金算出装置。
【請求項６】
前記所定の工程は、第１工程と、第２工程とを有し、
前記読取情報には、前記医療器具に付された前記識別標識が読み取られた際の前記所定の工程に対応した工程情報が含まれ、
前記回数カウント部は、前記使用者ごと、かつ、前記所定の工程ごとに前記使用回数をカウントし、
前記料金算出部は、前記第１工程の前記使用回数と予め定められた第１の単価に基づいて、前記第１工程用の前記使用料金を算出し、前記第２工程の前記使用回数と予め定められた第２の単価に基づいて、前記第２工程用の前記使用料金を算出する、請求項５に記載された医療器具管理装置用の使用料金算出装置。
【請求項７】
前記所定の工程は、前記医療器具に対する回収の作業に関する回収工程を有し、
前記受信部は、前記回収工程が行われる前に、前記医療器具に付された前記識別標識が読み取られた際の前記読取情報および前記使用者情報を受信し、
前記回数カウント部は、前記使用者ごとに、前記回収工程の前記使用回数をカウントし、
前記料金算出部は、前記回収工程の前記使用回数と、予め定められた回収用単価に基づいて、前記回収工程における前記使用料金を算出する、請求項５または６に記載された医療器具管理装置用の使用料金算出装置。
【請求項８】
前記所定の工程は、前記医療器具に対する洗浄の作業に関する洗浄工程を有し、
前記受信部は、前記洗浄工程が行われる前に、前記医療器具に付された前記識別標識が読み取られた際の前記読取情報および前記使用者情報を受信し、
前記回数カウント部は、前記使用者ごとに、前記洗浄工程の前記使用回数をカウントし、
前記料金算出部は、前記洗浄工程の前記使用回数と、予め定められた洗浄用単価に基づいて、前記洗浄工程における前記使用料金を算出する、請求項５から７までの何れか１つに記載された医療器具管理装置用の使用料金算出装置。
【請求項９】
前記所定の工程は、前記医療器具に対する組み立ての作業に関する組立工程を有し、
前記受信部は、前記組立工程が行われる前に、前記医療器具に付された前記識別標識が読み取られた際の前記読取情報および前記使用者情報を受信し、
前記回数カウント部は、前記使用者ごとに、前記組立工程の前記使用回数をカウントし、
前記料金算出部は、前記組立工程の前記使用回数と、予め定められた組立用単価に基づいて、前記組立工程における前記使用料金を算出する、請求項５から８までの何れか１つに記載された医療器具管理装置用の使用料金算出装置。
【請求項１０】
前記所定の工程は、前記医療器具に対する滅菌処理の作業に関する滅菌工程を有し、
前記受信部は、前記滅菌工程が行われる前に、前記医療器具に付された前記識別標識が読み取られた際の前記読取情報および前記使用者情報を受信し、
前記回数カウント部は、前記使用者ごとに、前記滅菌工程の前記使用回数をカウントし、
前記料金算出部は、前記滅菌工程の前記使用回数と、予め定められた滅菌用単価に基づいて、前記滅菌工程における前記使用料金を算出する、請求項５から９までの何れか１つに記載された医療器具管理装置用の使用料金算出装置。
【請求項１１】
前記所定の工程は、前記医療器具に対する保管の作業に関する保管工程を有し、
前記受信部は、前記保管工程が行われる前に、前記医療器具に付された前記識別標識が読み取られた際の前記読取情報および前記使用者情報を受信し、
前記回数カウント部は、前記使用者ごとに、前記保管工程の前記使用回数をカウントし、
前記料金算出部は、前記保管工程の前記使用回数と、予め定められた保管用単価に基づいて、前記保管工程における前記使用料金を算出する、請求項５から１０までの何れか１つに記載された医療器具管理装置用の使用料金算出装置。
【請求項１２】
前記料金算出部によって算出された前記使用料金を前記使用者ごとに通知する通知部を備えた、請求項１から１１までの何れか１つに記載された医療器具管理装置用の使用料金算出装置。
【請求項１３】
前記医療器具を管理する医療器具管理装置であって、電子マニュアルが記憶された記憶部を備えた前記医療器具管理装置において、前記電子マニュアルにアクセスされた際のアクセス情報と、前記電子マニュアルを使用するマニュアル使用者を特定するマニュアル使用者情報とが関連付けられたマニュアル受信情報を受信するマニュアル受信部と、
前記マニュアル受信情報に基づいて、前記マニュアル受信部が受信した前記アクセス情報の数であるマニュアル使用回数を前記マニュアル使用者ごとにカウントするマニュアル回数カウント部と、
前記マニュアル回数カント部によってカウントされた前記マニュアル使用者ごとの前記マニュアル使用回数と、予め定められたマニュアル単価とに基づいて、前記マニュアル使用者ごとの使用料金を算出するマニュアル料金算出部と、
を備えた、請求項１から１２までの何れか１つに記載された医療器具管理装置用の使用料金算出装置。
【請求項１４】
請求項１から１３までの何れか１つに記載された使用料金算出装置と、
前記使用料金算出装置と通信可能に接続され、前記医療器具を管理する医療器具管理装置と、
を備えた、医療器具管理システム。
【発明の詳細な説明】
【技術分野】
【０００１】
本発明は、医療器具管理装置用の使用料金算出装置、および、医療器具管理装置と使用料金算出装置とを備えた医療器具管理システムに関する。
【背景技術】
【０００２】
例えば、手術や診察などの医療行為で使用される医療器具に関連したシステムとして、特許文献１には、医療行為に対する予定および実施内容を管理する医療行為管理システムが開示されている。医療行為管理システムにおいて、医療行為者（例えば医師または看護師）は、予め定められた複数の術式の中から少なくとも１つの術式を選択することで、手術の予定（以下、予定情報という。）を入力する。また、医療行為管理システムには、医療行為に使用される医療器具の情報と術式とが対応付けられたデータが記憶されており、医療行為者によって選択された術式に応じて、医療器具の情報が選択される。
【０００３】
この医療器具には、識別番号が付与されている。医療行為者は、手術の実施内容を登録する際、手術に使用する医療器具の識別番号を、読取装置を使用して読み取る。そして、読み取られた識別番号は、医療行為管理システムにおいて、上記予定情報と関連付けられて管理される。このことで、手術の予定情報と、使用される医療器具などの実施内容とが関連付けられる。そのため、実施内容に含まれるデータのうち、予定情報に含まれるデータとして、上述の入力された予定情報のデータを使用することができるため、実施内容の管理を容易にすることができる。この医療行為管理システムの使用者は、提供者とライセンス契約を結び、提供者に対して所定の使用料金を支払う。
【先行技術文献】
【特許文献】
【０００４】
【特許文献１】特許第４８７３３８４号
【発明の概要】
【発明が解決しようとする課題】
【０００５】
ところで、医療器具によっては、使用後に洗浄や滅菌の処理が行われることで、繰り返し使用されることがあり得る。このような繰り返し使用される医療器具では、医療器具に対して所定の複数の工程の作業が順に行われる。このような繰り返し使用される医療器具が多数存在する病院などの医療機関では、医療器具の管理が煩雑になるため、医療器具を管理するための医療器具管理装置を提供者から導入することがあり得る。このとき、使用者から提供者に所定の使用料金を支払うことで、使用者は上記医療器具管理装置を使用することができる。
【０００６】
ところで、使用者によっては、他の使用者と比べて所持している医療器具の数が異なり、医療器具管理装置の対象となる医療器具の数が異なる。そのため、使用者によっては、医療器具管理装置を使用する回数や時間などの使用量が異なる。例えば全ての使用者に対する使用料金が一定である場合、上記使用量が相対的に少ない使用者にとって、使用料金が割高に感じられる。また、提供者は、医療器具管理装置を複数の使用者に提供することがあり得る。提供者にとって、使用者に対する使用料金に関する作業時間は、短い方が好ましい。
【０００７】
本発明はかかる点に鑑みてなされたものであり、その目的は、医療器具管理装置を使用する使用者にとって適切な使用料金を算出し、かつ、医療器具管理装置の提供者にとって使用料金に関する作業時間を短縮することが可能な医療器具管理装置用の使用料金算出装置および医療器具管理システムを提供することである。
【課題を解決するための手段】
【０００８】
本発明に係る医療器具管理装置用の使用料金算出装置は、受信部と、回数カウント部と、料金算出部とを備えている。前記受信部は、少なくとも１つ以上の読取装置に直接または間接的に接続された受信部であって、医療器具に設けられた識別標識が前記読取装置によって読み取られた際の読取情報、および、前記読取情報と関連付けられて記録され、前記読取装置を使用する使用者を特定する使用者情報を受信する。前記回数カウント部は、前記受信部によって受信された前記読取情報と前記使用者情報とに基づいて、前記受信部が受信した前記読取情報の数である使用回数を前記使用者ごとにカウントする。前記料金算出部は、前記回数カウント部によってカウントされた前記使用者ごとの前記使用回数と、予め定められた単価とに基づいて、前記使用者ごとに使用料金を算出する。
【０００９】
本発明に係る医療器具管理装置用の使用料金算出装置によれば、使用者が読取装置で医療器具の識別標識を読み取った際の読取情報と使用者情報とが受信部によって受信される。そのため、読取情報と使用者情報とに基づいて、使用者ごとに読取情報の数をカウントすることで、使用回数を求めることができる。そして、その使用回数と単価とに基づいて、使用者の使用回数に応じた使用料金を算出することができる。よって、使用回数が少ない使用者には、相対的に安い使用料金を請求することができると共に、使用回数が多い使用者には、相対的に高い使用料金を請求することができる。したがって、使用者の使用回数に応じた使用料金を使用者に請求することができるため、使用者にとって適切な使用料金を算出することができる。また本発明では、少なくとも１つ以上の読取装置が接続されている。そのため、例えば読取装置が遠隔地に設置されている場合であっても、読取情報および使用者情報を使用料金算出装置に集約することができる。よって、読取情報および使用者情報を受信した場所で、各使用者に対する使用料金を算出することができる。したがって、提供者が読取装置を設置している場所を訪問することなく、使用料金を算出することができるため、使用料金に関する作業時間を短縮することができる。
【発明の効果】
【００１０】
本発明によれば、医療器具管理装置を使用する使用者にとって適切な使用料金を算出し、かつ、医療器具管理装置の提供者にとって使用料金に関する作業時間を短縮することができる。
【図面の簡単な説明】
【００１１】
【図１】第１実施形態に係る医療器具管理システムと循環サイクルの関係を示す概念図である。
【図２】医療器具管理システムを示す概念図である。
【図３】医療器具管理装置および使用料金算出装置のブロック図である。
【図４】使用履歴テーブルの構成例を示す図である。
【図５】使用回数テーブルの構成例を示す図である。
【図６】使用料金テーブルの構成例を示す図である。
【図７】使用料金を算出する手順の一例を示したフローチャートである。
【図８】第２実施形態に係る作業支援システムのブロック図である。
【図９】マニュアル使用履歴テーブルの構成例を示す図である。
【図１０】マニュアル使用回数テーブルの構成例を示す図である。
【図１１】マニュアル使用料金テーブルの構成例を示す図である。
【図１２】マニュアル使用料金を算出する手順の一例を示したフローチャートである。
【発明を実施するための形態】
【００１２】
以下、図面を参照しながら、本発明に係る医療器具管理装置用の使用料金算出装置（以下、単に「使用料金算出装置」という。）を備えた医療器具管理システムについて説明する。なお、ここで説明される実施形態は、当然ながら特に本発明を限定することを意図したものではない。また、同じ作用を奏する部材・部位には同じ符号を付し、重複する説明は適宜省略または簡略化する。
【００１３】
＜第１実施形態＞
図１は、第１実施形態に係る医療器具管理システム１００と循環サイクル１０との関係を示す概念図である。図２は、医療器具管理システム１００を示す概念図である。図２に示すように、医療器具管理システム１００は、使用者が使用する医療器具５を管理するシステムである。ここで、「使用者」には、人物のみならず、企業、団体および病院などの組織、各組織の部門や工程なども含まれるものとする。
【００１４】
医療器具５は、病院において行われる医療行為で使用される器具である。医療器具５は、例えばトラカール、鉗子、切開装置、洗浄吸引装置、剪刀、メス（例えばレーザーメスや電気メス）、超音波カッター、メスホルダー、カニューレ、鑷子、開創器、スケール、ゾンデ、エレバ、ラスパ、吸引管、開胸器、閉胸器、持針器、注射器、金属ボール、膿盆、コップ、ピン、ミラー、やすり、開口器、クレンメ、ハンドピース、エレパトリューム、ノミ、鋭匙、剥離子、鏡、縫合針、スタンツェ、受水器、針、圧子、ブジー、通気管、骨片打ち込み棒、リウエル、ラジオペンチ、ハンマー、角度計、温度計、穿孔器、スポイト、金属綿棒、浣腸器、シリンジおよび内視鏡などである。ただし、上記例は、医療器具５の一部を列挙したに過ぎず、医療器具５は上記例に限定されない。
【００１５】
医療器具５は、１つの部品によって構成されていてもよいし、複数の部品によって構成されていてもよい。複数の部品で構成された医療器具５として、例えば腹腔鏡外科手術で用いられるトラカール、鉗子、切開装置、洗浄吸引装置などが挙げられる。このような医療器具５は、複数の構成部品からなり、手術後に回収された後、複数の構成部品に分解される。ここでは、医療器具５を構成する部品のことを構成部品という。また、構成部品がさらに複数の構成部品からなる場合があるが、このような場合は全て構成部品と称する。
【００１６】
図１に示すように、医療器具５は、所定の循環サイクル１０において繰り返し使用可能なものである。なお、医療器具５に対する循環サイクル１０における繰り返し回数は特に限定されず、医療器具５および医療器具５を構成する構成部品の種類によって異なるものである。本実施形態では、循環サイクル１０は、手術・診察工程１１と、回収工程１２と、洗浄工程１３と、組立工程１４と、滅菌工程１５と、保管工程１６とから構成されている。
【００１７】
手術・診察工程１１は、医療器具５を用いて手術または診察を行う工程である。手術・診察工程１１では、所定の場所に保管された医療器具５を所定の場所から取り出し、医療器具５を使用して手術または診察が行われる。回収工程１２は、手術・診察工程１１の後に行われる工程であり、手術または診察が行われた後、使用された医療器具５を回収する工程である。なお、医療器具５が複数の構成部品によって構成されている場合、回収工程１２には、医療器具５を個々の構成部品に分解する作業が含まれていてもよい。洗浄工程１３は、回収工程１２の後に行われる工程であり、回収された医療器具５または医療器具５の個々の構成部品を洗浄する工程である。洗浄工程１３では、例えば洗浄機（図示せず）を使用して、医療器具５に対する洗浄が行われる。
【００１８】
組立工程１４は、洗浄工程１３の後に行われる工程であり、洗浄された医療器具５の構成部品を組み立てて、１つの医療器具５を完成させる工程である。組立工程１４は、複数の構成部品によって構成された医療器具５を組み立てる工程である。本実施形態では、組立工程１４には、複数の医療器具５を１つのセットとして仕分けることが含まれる。ここで、１つのセットに仕分けるとは、例えば複数の医療器具５を任意のケースなどにまとめて収納することである。滅菌工程１５は、組立工程１４の後に行われる工程であり、医療器具５を滅菌処理する工程である。滅菌工程１５では、例えば滅菌機（図示せず）を使用して、医療器具５に対する滅菌処理が行われる。以下、滅菌処理のことを単に滅菌ともいう。保管工程１６は、滅菌工程１５の後に行われる工程であり、滅菌された医療器具５を所定の場所に保管する工程である。なお、保管工程１６の後には、手術・診察工程１１が行われる。本実施形態では、工程１１〜１６は、本発明の所定の工程の一例である。例えば、回収工程１２が本発明の第１工程の一例であり、洗浄工程１３が本発明の第２工程の一例である。
【００１９】
本実施形態では、図２に示すように、医療器具５に識別標識６が設けられている。この識別標識６は、医療器具５と他の医療器具５とを区別するためのものである。例えば、識別標識６には、器具ＩＤ６ａが記録されている。器具ＩＤ６ａは、数字やアルファベットなどによって構成された文字列であり、医療器具５ごとに異なるものである。例えば、器具ＩＤ６ａは、医療器具５ごとに付されている。ただし、医療器具５が複数の構成部品によって構成され、回収工程１２において複数の構成部品に分解された医療器具５の場合、構成部品ごとに識別標識６が設けられ、器具ＩＤ６ａが付されている。なお、識別標識６の種類は特に限定されない。例えば、識別標識６は、一次元バーコードであってもよいし、二次元バーコートであってもよいし、ＩＣタグであってもよい。本実施形態では、後述する読取装置３０によって識別標識６を読み取ることで、医療器具５の器具ＩＤ６ａを取得することができる。
【００２０】
本実施形態では、医療器具管理システム１００は、各工程１１〜１６における医療器具５を管理するシステムである。ここでは、医療器具管理システム１００は、各工程１１〜１６において、医療器具５に設けられた識別標識６から器具ＩＤ６ａを読み取ることで、その医療器具５に対してどの工程１１〜１６の作業が行われているのかの管理を行う。また、医療器具管理システム１００は、医療器具５の在庫の管理を行うシステムであってもよい。
【００２１】
本実施形態では、図１に示すように、医療器具管理システム１００は、少なくとも１つ以上の読取装置３０と、少なくとも１つ以上の端末３５と、医療器具管理装置４０と、使用料金算出装置５０とを備えている。
【００２２】
図２に示すように、読取装置３０は、医療器具５に設けられた識別標識６の器具ＩＤ６ａを読み取るものである。読取装置３０は、識別標識６に記録された器具ＩＤ６ａを読み取り、読み取った器具ＩＤ６ａを医療器具管理装置４０に送信する。なお、読取装置３０の種類は特に限定されず、識別標識６の器具ＩＤ６ａを読み取ることが可能なものであればよい。例えば、識別標識６が二次元コードの場合、読取装置３０は、二次元コードを読み取ることが可能な二次元コードリーダであるとよい。例えば、識別標識６がＩＣタグの場合、読取装置３０は、ＩＣタグリーダであるとよい。本実施形態では、読取装置３０は、非接触式の装置である。しかしながら、読取装置３０は、接触式の装置であってもよい。なお、図１に示すように、この読取装置３０は、各工程１１〜１６に設けられるものである。読取装置３０の設置場所は、例えば各工程１１〜１６の作業が行われる作業空間である。ただし、工程１１〜１６のうち一部の工程に、読取装置３０が設けられていなくてもよい。なお、読取装置３０が設けられていない工程における医療器具５の管理は、医療器具管理システム１００では行われない。作業者は、各工程１１〜１６において、作業が行われる前に医療器具５に付された識別標識６を、読取装置３０を使用して読み取る。
【００２３】
端末３５は、各工程１１〜１６に設けられたものである。例えば、端末３５は、読取装置３０と一対となって、各工程１１〜１６に設けられている。端末３５は、読取装置３０が設置されている工程１１〜１６に設けられている。端末３５は、例えばタブレット端末であってもよいし、デスクトップ型やノート型のコンピュータであってもよい。図２に示すように、端末３５は、例えば表示画面３６と、キーボードやマウスなどの操作部３７とを備えている。
【００２４】
医療器具管理装置４０は、医療器具５の在庫などを管理する装置である。また、医療器具管理装置４０は、医療器具５に対して工程１１〜１６のうちどの工程の作業が行われているかを管理する装置である。ここで、医療器具５の管理には、上記の２つの管理が少なくとも含まれる。なお、医療器具管理装置４０の具体的な構成などの説明は適宜省略する。本実施形態では、読取装置３０によって識別標識６の器具ＩＤ６ａが読み取られて、上記器具ＩＤ６ａが医療器具管理装置４０に送信された際の医療器具５が管理対象となる。例えば、医療器具管理装置４０は、コンピュータであり、ＣＰＵと、ＣＰＵが実行するプログラムが格納されたＲＯＭと、ＲＡＭなどを備えている。ここでは、コンピュータ内に保存されたプログラムを使用して、医療器具５を管理する。
【００２５】
図３は、医療器具管理装置４０および使用料金算出装置５０のブロック図である。本実施形態では、図３に示すように、医療器具管理装置４０は、データベースの所定のテーブルが記憶された記憶部４１と、読取装置３０から送信された器具ＩＤ６ａを受信する受信部４３と、受信部４３によって受信された器具ＩＤ６ａが付された医療器具５を管理する処理を行う処理部４５とを備えている。この処理部４５は、例えば記憶部４１に記憶されたテーブルに器具ＩＤ６ａと工程ＩＤと受信日時とを少なくとも関連付けて記憶させる。このことで、器具ＩＤ６ａに対応した医療器具５に対してどの工程１１〜１６の作業が行われているかを管理することができる。また、処理部４５は、器具ＩＤ６ａに対応した医療器具５に対して、器具ＩＤ６ａと関連付けられた工程においてどのような作業を行うかの作業指示の内容を、その工程の端末３５の表示画面３６（図２参照）に表示させてもよい。このことで、その工程の作業者は、端末３５の表示画面３６に表示された作業指示の内容に沿って作業を適切に行うことができる。
【００２６】
ところで、医療器具管理システム１００が備えた医療器具管理装置４０の提供者は、医療器具管理装置４０を導入する使用者に対して、所定の使用料金を請求する。ここで、上述の医療器具管理装置４０を導入している使用者とは、医療器具管理システム１００のうちの少なくとも一部を導入している使用者が含まれる。例えば読取装置３０のみを使用している使用者は、読取装置３０を介して医療器具管理装置４０にアクセスしているため、医療器具管理装置４０を導入している使用者に含まれる。
【００２７】
使用者によっては、他の使用者と比べて所持している医療器具５の数が異なり、医療器具管理装置４０の管理対象となる医療器具５の数が異なる。また、使用者によっては、工程１１〜１６のうち、全ての工程に対して医療器具管理装置４０に医療器具５の管理を行って欲しい使用者や、一部の工程に対して医療器具管理装置４０に医療器具５の管理を行って欲しい使用者が存在する。そのため、使用者によって、医療器具管理装置４０を使用する回数や時間などの使用量が異なる。例えば医療器具管理装置４０を導入している全ての使用者に対して定額の使用料金を請求する場合、上記使用量が相対的に少ない使用者にとって使用料金が割高に感じられる。そのため、全ての使用者にとって適切な使用料金を請求することが好ましい。この課題を解決するため、本実施形態では、上記使用量に応じて、使用料金を使用者ごとに設定するという従量制の料金体系を採用する。
【００２８】
このような従量制の料金体系の場合、例えば使用者ごとに読取装置３０によって医療器具５の識別標識６を読み取った回数（以下、使用回数という。）をカウントする作業が発生する。例えば、医療器具管理システム１００がいわゆるスタンドアローン型のシステムを採用している場合、提供者が使用者の導入先へ訪問し、上記使用回数をカウントしなければならなかった。そのため、各使用者に対する使用料金に関する作業時間が相対的に増大するおそれがあった。この課題を解決するため、本実施形態では、医療器具管理システム１００では、いわゆるクライアントサーバ型のシステムを採用する。
【００２９】
本実施形態に係る使用料金算出装置５０は、上記２つの課題を解決した装置である。次に、使用料金算出装置５０について説明する。使用料金算出装置５０は、医療器具管理装置４０を備えた医療器具管理システム１００を使用する使用者に対して、医療器具管理システム１００の使用回数に応じて使用料金を算出する装置である。ここでは、使用料金算出装置５０は、使用者が読取装置３０を使用して医療器具５の識別標識６を読み取った回数に応じて使用料金を設定する。本実施形態に係る医療器具管理システム１００は、定額制の料金体系を採用しておらず、従量制の料金体系を採用している。
【００３０】
使用料金算出装置５０は、コンピュータであり、ＣＰＵと、ＣＰＵが実行するプログラムが格納されたＲＯＭと、ＲＡＭなどを備えている。ここでは、コンピュータ内に保存されたプログラムを使用して、医療器具管理システム１００の使用料金を使用者ごとに算出する。使用料金算出装置５０は、専用のコンピュータで実現されるものであってもよいし、汎用のコンピュータで実現されるものであってもよい。
【００３１】
本実施形態では、使用料金算出装置５０は、少なくとも１つ以上の医療器具管理装置４０と電気的に接続されており、かつ、通信可能に接続されている。図３の例では、使用料金算出装置５０は、説明の便宜上、１つの医療器具管理装置４０と通信可能に接続されているが、複数の医療器具管理装置４０と通信可能に接続されてもよい。使用料金算出装置５０は、少なくとも１つ以上の医療器具管理装置４０と有線で接続されていてもよいし、無線で接続されていてもよい。ここでは、医療器具管理システム１００は、いわゆるクライアントサーバ型のシステムである。本実施形態に係る医療器具管理システム１００では、例えば医療器具管理装置４０および使用料金算出装置５０がサーバに相当し、読取装置３０および端末３５がクライアントに相当する。ただし、医療器具管理システム１００は、いわゆるクラウド型のシステムであってもよい。使用料金算出装置５０は、医療器具管理装置４０と一体的であり、医療器具管理装置４０と共に、１つのコンピュータによって実現されていてもよいし、医療器具管理装置４０と別体であり、医療器具管理装置４０とは異なるコンピュータによって実現されてもよい。
【００３２】
本実施形態では、図３に示すように、使用料金算出装置５０は、記憶部５１と、受信部５３と、回数カウント部５５と、料金算出部５７と、通知部５９とを備えている。上記各部は、ソフトウェアによって構成されていてもよいし、ハードウェアによって構成されていてもよい。また、上記各部は、１つ以上のプロセッサによって実現されるものであってもよいし、回路に組み込まれるものであってもよい。
【００３３】
図４は、使用履歴テーブルＴ１１の構成例である。図５は、使用回数テーブルＴ１２の構成例である。図６は、使用料金テーブルＴ１３の構成例である。記憶部５１には、使用履歴テーブルＴ１１（図４参照）、使用回数テーブルＴ１２（図５参照）および使用料金テーブルＴ１３（図６参照）が予め記憶されている。ここでのテーブルとは、データベースを構成するテーブルのことである。
【００３４】
受信部５３は、少なくとも１つ以上の読取装置３０に医療器具管理装置４０を介して間接的に接続されている。受信部５３は、医療器具５に設けられた識別標識６が読取装置３０によって読み取られた際の受信情報１０１（詳しくは、読取情報１０２および使用者情報１０３）を受信する。受信部５３は、医療器具５に対して所定の作業が行われる所定の工程（各工程１１〜１６）において、作業が行われる前に医療器具５に付された識別標識６が読み取られることで、受信情報１０１を受信する。ここで、受信情報１０１とは、読取装置３０によって医療器具５の識別標識６が読み込まれたとき、使用料金算出装置５０に送られる情報であり、使用料金を算出する際に使用される情報である。本実施形態では、図４に示すように、受信情報１０１は、読取情報１０２と使用者情報１０３とを有している。
【００３５】
読取情報１０２とは、使用者が読取装置３０を使用して、医療器具５に設けられた識別標識６を読み取った際の情報のことである。読取情報１０２には、例えば読取装置３０が識別標識６を読み取った日である読取日１１２と、読取装置３０が設置されている作業空間で作業を行う工程に対応した工程ＩＤ１１３とが含まれる。ここでは、読取日１１２と工程ＩＤ１１３とが関連付けられている。なお、読取日１１２には、日にち以外に、医療器具５の識別標識６を読み取った時間が含まれていてもよい。なお、本実施形態では、工程ＩＤ１１３は、本発明の工程情報の一例である。
【００３６】
本実施形態では、読取装置３０は、上述のように、各工程１１〜１６の作業を行う空間に配置されている。すなわち、工程１１〜１６には、その工程１１〜１６の専用の読取装置３０が設けられている。例えば、読取装置３０には、どの工程１１〜１６の読取装置であるかを示す工程ＩＤ１１３が割り振られていてもよい。そして、読取装置３０によって医療器具５の器具ＩＤ６ａが読み取られた際、読取装置３０は、器具ＩＤ６ａと共に、工程ＩＤ１１３を医療器具管理装置４０に送信する。このとき、医療器具管理装置４０は、器具ＩＤ６ａを受信した際の受信日を取得し、その受信日を読取日１１２とする。そして、医療器具管理装置４０は、使用料金算出装置５０の受信部５３に、読取日１１２と工程ＩＤ１１３とを送信する。読取日１１２および工程ＩＤ１１３を受信した受信部５３は、受信した読取日１１２と工程ＩＤ１１３とを関連付けた状態で、記憶部５１に記憶させる。
【００３７】
なお、工程ＩＤ１１３とは、工程１１〜１６ごとに付されたユニークなＩＤであり、工程ＩＤ１１３からどの工程１１〜１６かを特定することができる。図示は省略するが、例えば記憶部５１には、工程ＩＤ１１３と工程名とが関連付けられた工程テーブルが記憶されており、この工程テーブルを参照することで、工程ＩＤ１１３から工程名を特定することができる。なお、読取情報１０２において、工程ＩＤ１１３は、工程名に置き換えられてもよい。
【００３８】
使用者情報１０３とは、医療器具５に設けられた識別標識６を読取装置３０で読み取る際、読取装置３０を使用した使用者を特定する情報のことである。使用者情報１０３は、読取情報１０２と関連付けられて記録された情報である。使用者情報１０３には、例えば使用者ＩＤ１１１が含まれる。使用者情報１０３には、使用者名や、使用者に関わる他の情報が含まれていてもよい。本実施形態では、読取装置３０は、特定の使用者の専用の装置である。例えば、読取装置３０には、どの使用者の読取装置であるかを示す使用者ＩＤ１１１が割り振られていてもよい。例えば、読取装置３０自体にＩＤが割り振られている場合、そのＩＤと使用者ＩＤ１１１とが関連付けられている。この場合、使用者ＩＤ１１１は、読取装置３０自体のＩＤに置き換えられてもよい。読取装置３０によって医療器具５の器具ＩＤ６ａが読み取られた際、読取装置３０は、器具ＩＤ６ａおよび工程ＩＤ１１３と共に、使用者ＩＤ１１１を医療器具管理装置４０に送信する。そして、医療器具管理装置４０は、使用料金算出装置５０の受信部５３に、読取日１１２および工程ＩＤ１１３と共に使用者ＩＤ１１１を送信する。受信部５３は、使用者ＩＤ１１１と読取日１１２と工程ＩＤ１１３とを関連付けた状態で、記憶部５１に記憶させる。
【００３９】
なお、使用者ＩＤ１１１とは、使用者ごとに付されたユニークなＩＤであり、使用者ＩＤ１１１からどの使用者かを特定することができる。図示は省略するが、例えば記憶部５１には、使用者ＩＤ１１１と使用者名とが関連付けられた使用者テーブルが記憶されており、この使用者テーブルを参照することで、使用者ＩＤ１１１から使用者名を特定することができる。なお、使用者情報１０３において、使用者ＩＤ１１１は、使用者名に置き換えられてもよい。
【００４０】
本実施形態では、受信部５３によって受信情報１０１を受信した際、受信情報１０１は、図４に示すような使用履歴テーブルＴ１１に記憶される。使用履歴テーブルＴ１１は、各工程１１〜１６において、使用者が医療器具管理システム１００を使用した履歴を記録するテーブルである。使用履歴テーブルＴ１１は、記憶部５１に予め記憶されているものである。本実施形態では、使用履歴テーブルＴ１１は、使用者ＩＤ１１１と、読取日１１２と、工程ＩＤ１１３との各項目が関連付けられた状態で記憶されている。なお、使用履歴テーブルＴ１１には、上記３つ以外の項目、例えば使用者名や器具ＩＤ６ａ（図２参照）が含まれていてもよい。
【００４１】
回数カウント部５５は、受信部５３によって受信された読取情報１０２と使用者情報１０３とに基づいて、受信部５３が受信した読取情報１０２の数である使用回数を使用者ごとにカウントする。ここでは、回数カウント部５５は、受信部５３によって受信された受信情報１０１の読取情報１０２および使用者情報１０３に基づいて、受信情報１０１を受信部５３が受信した回数である使用回数を使用者ごとにカウントする。本実施形態では、回数カウント部５５は、記憶部５１に記憶された使用履歴テーブルＴ１１に基づいて、使用回数を使用者ごとにカウントする。具体的には、回数カウント部５５は、使用履歴テーブルＴ１１において、特定の使用者ＩＤ１１１が含まれる行をカウントする。そして、回数カウント部５５は、カウントした数を、その特定の使用者ＩＤ１１１に対応した使用者の使用回数１２０（図５参照）とする。
【００４２】
なお、回数カウント部５５は、受信部５３が受信情報１０１を受信した期間である使用期間１２１（図５参照）を考慮して、使用回数１２０をカウントしてもよい。この場合、回数カウント部５５は、使用履歴テーブルＴ１１の使用者ＩＤ１１１および読取日１１２に基づいて、使用回数１２０をカウントすることが可能である。この場合、回数カウント部５５は、まず所定の期間（使用期間１２１）内に該当する読取日１１２を特定し、特定された読取日１１２を含む行を抽出する。そして、回数カウント部５５は、上記抽出した行において、特定の使用者ＩＤ１１１が含まれる行をカウントし、そのカウントした数を、その特定の使用者ＩＤ１１１に対応した使用者の使用回数１２０とする。
【００４３】
さらに、回数カウント部５５は、使用者ごと、かつ、工程１２〜１６ごとに使用回数をカウントしてもよい。この場合、回数カウント部５５は、図４に示す使用履歴テーブルＴ１１の使用者ＩＤ１１１および工程ＩＤ１１３に基づいて、使用回数を工程１２〜１６ごとにカウントすることが可能である。この場合、回数カウント部５５は、特定の使用者ＩＤ１１１を含む行を抽出する。なお、回数カウント部５５は、受信部５３が受信情報１０１を受信した期間を考慮してもよく、その場合、所定の使用期間１２１内に該当する読取日１１２を含んだ行に対して、さらに、特定の使用者ＩＤ１１１を含む行を抽出する。このようにして特定の使用期間１２１および特定の使用者ＩＤ１１１を含む行を抽出した後、工程ＩＤ１１３に基づいて、工程１２〜１６ごとに使用回数をカウントする。
【００４４】
本実施形態では、図５に示すように、使用回数１２０は、回収使用回数１２２と、洗浄使用回数１２３と、組立使用回数１２４と、滅菌使用回数１２５と、保管使用回数１２６とを有している。ここで、回収使用回数１２２は回収工程１２における使用回数である。洗浄使用回数１２３は洗浄工程１３における使用回数である。また、組立使用回数１２４は組立工程１４における使用回数であり、滅菌使用回数１２５は滅菌工程１５における使用回数であり、保管使用回数１２６は保管工程１６における使用回数である。
【００４５】
本実施形態では、回数カウント部５５によってカウントされた使用者ごとの使用回数１２０は、使用回数テーブルＴ１２（図５参照）に記憶される。図５では、使用者ごと、かつ、工程１２〜１６ごとに使用回数がカウントされた場合における使用回数テーブルＴ１２の構成例が示されている。使用回数テーブルＴ１２は、記憶部５１に予め記憶されているものである。本実施形態では、使用回数テーブルＴ１２は、使用者ＩＤ１１１と、使用期間１２１と、回収使用回数１２２と、洗浄使用回数１２３と、組立使用回数１２４と、滅菌使用回数１２５と、保管使用回数１２６とが関連付けられて記憶されている。なお、使用回数テーブルＴ１２には、上記項目以外の項目が含まれていてもよい。ここでは、回数カウント部５５は、使用者ごと、かつ、工程１２〜１６ごとに使用回数１２０をカウントする。その後、これら使用回数１２０は、使用回数テーブルＴ１２の該当する項目に記憶される。このとき、使用者ＩＤ１１１および使用期間１２１も関連付けられて使用回数テーブルＴ１２に記憶される。なお、使用回数１２０を工程１２〜１６ごとにカウントしない場合には、図５の使用回数テーブルＴ１２において、回収使用回数１２２と、洗浄使用回数１２３と、組立使用回数１２４と、滅菌使用回数１２５と、保管使用回数１２６とが削除され、使用者ごとの１つの使用回数（全ての工程１２〜１６を含めた使用回数）の項目が含まれる。
【００４６】
料金算出部５７は、回数カウント部５５によってカウントされた使用者ごとの使用回数１２０と、予め定められた単価とに基づいて、使用者ごとに使用料金１３０（図６参照）を算出する。料金算出部５７は、回数カウント部５５によってカウントされた使用者ごとの使用回数１２０に、予め定められた所定の単価を掛け合わせて、使用者ごとの使用料金１３０（図６参照）を算出する。この所定の単価とは、記憶部５１に予め記憶されたものである。例えば、回数カウント部５５によって工程１２〜１６ごとに使用回数がカウントされずに、全ての工程１２〜１６を含めた使用回数１２０がカウントされた場合、上記の所定の単価として、１つの単価のみが設定される。
【００４７】
なお、この単価は、使用回数１２０に応じて段階的に設定されてもよい。例えば、使用回数１２０が第１の回数から、第１の回数よりも大きい第２の回数までの間のときには、第１の単価が使用され、第２の回数から、第２の回数よりも大きい第３の回数までの間のときには、第１の単価よりも低い第２の単価が使用されてもよい。
【００４８】
例えば、図５の使用回数テーブルＴ１２のように、使用者ごと、かつ、工程１２〜１６ごとの使用回数１２０がカウントされている場合、所定の単価には、回収用単価、洗浄用単価、組立用単価、滅菌用単価および保管用単価が含まれている。ここで、回収用単価とは、回収工程１２において医療器具管理システム１００を使用した際の１回の金額である。回収使用回数１２２と回収用単価とに基づいて、所定の計算式を使用することで回収使用料金１３２が算出される。ここでは、回収用単価には、回収使用回数１２２が掛け合わされる。洗浄用単価とは、洗浄工程１３において医療器具管理システム１００を使用した際の１回の金額である。洗浄使用回数１２３と洗浄用単価とに基づいて、所定の計算式を使用することで洗浄使用料金１３３が算出される。ここでは、洗浄用単価には、洗浄使用回数１２３が掛け合わされる。組立用単価とは、組立工程１４において医療器具管理システム１００を使用した際の１回の金額である。組立使用回数１２４と組立用単価とに基づいて、所定の計算式を使用することで組立使用料金１３４が算出される。ここでは、組立用単価には、組立使用回数１２４が掛け合わされる。滅菌用単価とは、滅菌工程１５において医療器具管理システム１００を使用した際の１回の金額である。滅菌使用回数１２５と滅菌用単価とに基づいて、所定の計算式を使用することで滅菌使用料金１３５が算出される。ここでは、滅菌用単価には、滅菌使用回数１２５が掛け合わされる。保管用単価とは、保管工程１６において医療器具管理システム１００を使用した際の１回の金額である。保管使用回数１２６と保管用単価とに基づいて、所定の計算式を使用することで保管使用料金１３６が算出される。ここでは、保管用単価には、保管使用回数１２６が掛け合わされる。
【００４９】
なお、回収用単価、洗浄用単価、組立用単価、滅菌用単価および保管用単価は、同じ金額であってもよいし、それぞれが異なる金額であってもよい。回収用単価、洗浄用単価、組立用単価、滅菌用単価および保管用単価は、一部の金額が同じであってもよい。上記の各単価は、各工程１２〜１６の重要度などによって適宜設定されるものであってもよい。また、回収用単価、洗浄用単価、組立用単価、滅菌用単価および保管用単価は、使用者ごとに異なる金額が設定されてもよい。ここでは、回収用単価、洗浄用単価、組立用単価、滅菌用単価および保管用単価は、記憶部５１に予め記憶されている。本実施形態では、例えば回収用単価は、本発明の第１の単価に対応し、洗浄用単価は、本発明の第２の単価に対応している。
【００５０】
本実施形態では、料金算出部５７は、上述のように、使用者ごとに、使用回数テーブルＴ１２の回収使用回数１２２に回収用単価を掛け合わせて、回収使用料金１３２を算出する。同様に、料金算出部５７は、使用者ごとに、洗浄使用回数１２３に洗浄用単価を掛け合わせて、洗浄使用料金１３３を算出し、組立使用回数１２４に組立用単価を掛け合わせて、組立使用料金１３４を算出する。また、料金算出部５７は、使用者ごとに、滅菌使用回数１２５に滅菌用単価を掛け合わせて、滅菌使用料金１３５を算出し、保管使用回数１２６に保管用単価を掛け合わせて、保管使用料金１３６を算出する。
【００５１】
ここでは、料金算出部５７によって算出された使用者ごとの使用料金１３０に含まれる回収使用料金１３２、洗浄使用料金１３３、組立使用料金１３４、滅菌使用料金１３５および保管使用料金１３６は、使用料金テーブルＴ１３（図６参照）に記憶される。図６では、使用者ごと、かつ、工程１２〜１６ごとに使用回数１２０が算出された場合における使用料金テーブルＴ１３の構成例が示されている。使用料金テーブルＴ１３は、記憶部５１に予め記憶されている。本実施形態では、使用料金テーブルＴ１３は、使用者ＩＤ１１１と、使用期間１２１と、回収使用料金１３２と、洗浄使用料金１３３と、組立使用料金１３４と、滅菌使用料金１３５と、保管使用料金１３６とが関連付けられて記憶されている。なお、使用料金テーブルＴ１３には、上記項目以外の項目が含まれていてもよい。例えば、使用料金テーブルＴ１３には、使用料金１３２〜１３６の５つの使用料金を足し合わせた使用者ごとの合計使用料金の項目が含まれていてもよい。ここでは、料金算出部５７は、使用者ごと、かつ、工程１２〜１６ごとに使用料金１３０を算出した後、これら使用料金１３０は、使用料金テーブルＴ１３の該当する項目に記憶される。なお、使用料金を工程１２〜１６ごとに算出しない場合には、図６の使用料金テーブルＴ１３において、使用料金１３２〜１３６の各項目が削除され、使用者ごとの１つの使用料金（全ての工程１２〜１６を含めた使用料金）の項目が含まれる。
【００５２】
通知部５９は、料金算出部５７によって算出された使用料金１３０を使用者ごとに通知する。なお、通知部５９によって使用者に使用料金１３０が通知される具体的な構成は特に限定されない。例えば、通知部５９は、図６の使用料金テーブルＴ１３に基づいて、各使用料金１３２〜１３６、および、各使用料金１３２〜１３６を合計した合計使用料金を所定のフォーマットに沿って記載し、使用者ごとに請求書を作成する。そして、通知部５９は、使用料金算出装置５０に通信可能に接続されたプリンタ（図示せず）に上記請求書を送信してもよい。この場合、紙媒体に請求書が印刷され、紙媒体の請求書を使用者に送ることで、使用者に使用料金１３０を通知することができる。また、通知部５９は、請求書を所定のＥメールアドレス宛てに送信することで、使用者に使用料金１３０を通知してもよい。また、例えば端末３５の表示画面３６に、請求通知ボタン（図示せず）が表示されていてもよい。この場合、使用者が操作部３７を操作して上記請求通知ボタンを押すことで、通知部５９は、使用料金１３０を表示画面３６に表示させるように構成されていてもよい。また、通知部５９は、所定の間隔ごとに使用料金１３０を使用者に通知するように構成されていてもよい。通知部５９は、例えば使用料金１３０をリアルタイムで表示画面３６に表示させるように構成されていてもよい。
【００５３】
以上、本実施形態に係る医療器具管理システム１００の構成について説明した。次に、使用料金１３０を算出する手順について説明する。ここでは、一例として、工程１２〜１６のうち回収工程１２、組立工程１４、滅菌工程１５および保管工程１６における作業が、使用者ＩＤ１１１が「ｐ１」の使用者によって行われ、洗浄工程１３が、使用者ＩＤ１１１が「ｐ２」の使用者によって行われる場合において、各使用者ｐ１、ｐ２の使用料金１３０を算出する手順について図７のフローチャートに沿って説明する。以下の説明において、使用者ｐ１とは、使用者ＩＤ１１１が「ｐ１」の使用者のことであり、使用者ｐ２とは、使用者ＩＤ１１１が「ｐ２」の使用者のことである。
【００５４】
本実施形態では、使用料金１３０が算出される前において、各使用者によって読取装置３０を使用して医療器具５に設けられた識別標識６が読み取られ、医療器具５の管理が医療器具管理装置４０によって行われている。そのため、記憶部５１に記憶された使用履歴テーブルＴ１１には、図４に示すように、使用者ＩＤ１１１と、読取日１１２と、工程ＩＤ１１３とが関連付けられたデータが記憶されているものとする。なお、図４では、データの一部が記載されており、他のデータは省略されている。
【００５５】
本実施形態では、回数カウント部５５は、ステップＳ１０１において、使用履歴テーブルＴ１１に基づいて使用者ｐ１の使用回数１２０をカウントし、ステップＳ１０２において、使用履歴テーブルＴ１１に基づいて使用者ｐ２の使用回数１２０をカウントする。ここでは、使用者ｐ１、ｐ２ごとに、所定の使用期間１２１に使用された使用回数１２０を工程１２〜１６ごとに算出する。回数カウント部５５は、使用履歴テーブルＴ１１の全ての行のうち、読取日１１２が所定の期間の範囲以内の一例である「２０１８年６月（２０１８／６／１〜２０１８／６／３０）」の行を抽出する。
【００５６】
次に、回数カウント部５５は、抽出した行の中で、使用者ｐ１、かつ、工程ＩＤ１１３が回収工程１２のＩＤである「ｓ１２」の行をカウントする。ここでは、回数カウント部５５は、カウント数である「５０」を使用者ｐ１の回収使用回数１２２（図５参照）とする。同様に、回数カウント部５５は、抽出した行の中で、使用者ｐ１であって、工程ＩＤ１１３が組立工程１４のＩＤである「ｓ１４」の行をカウントし、そのカウント数である「６０」を使用者ｐ１の組立使用回数１２４とする。抽出した行の中で、使用者ｐ１、かつ、滅菌工程１５の工程ＩＤ１１３である「ｓ１５」の行をカウントし、そのカウント数である「５０」を使用者ｐ１の滅菌使用回数１２５とする。抽出した行の中で、使用者ｐ１、かつ、保管工程１６の工程ＩＤ１１３である「ｓ１６」の行をカウントし、そのカウント数である「５０」を使用者ｐ１の保管使用回数１２６とする。また、回数カウント部５５は、抽出した行の中で、使用者ｐ２であって、洗浄工程１３の工程ＩＤである「ｓ１３」の行をカウントし、そのカウント数である「６０」を使用者ｐ２の洗浄使用回数１２３とする。これら使用回数とは、使用者がその工程において、読取装置３０で医療器具５の識別標識６を読み取った回数である。使用者ｐ１の回収使用回数１２２、組立使用回数１２４、滅菌使用回数１２５および保管使用回数１２６、ならびに、使用者ｐ２の洗浄使用回数１２３は、使用者ＩＤ１１１および使用期間１２１と関連付けられた状態で、使用回数テーブルＴ１２に記憶される。なお、使用者によって使用されていない工程に対応した使用回数（例えば使用者ｐ１の洗浄使用回数１２３）の項目には、「０」が記載されていてもよいし、いわゆるヌル（ＮＵＬＬ）文字が記載されていてもよい。
【００５７】
次に、料金算出部５７は、ステップＳ１０３において、使用者ｐ１における各工程１２〜１６の使用料金１３０を算出し、ステップＳ１０４において、使用者ｐ２における各工程１２〜１６の使用料金１３０を算出する。ステップＳ１０３では、料金算出部５７は、図５の使用回数テーブルＴ１２に基づいて、使用者ｐ１の回収使用回数１２２の「５０」に、回収用単価である「１００」が掛け合わされて、使用者ｐ１の回収使用料金１３２（図６参照）を算出する。同様に、料金算出部５７は、使用者ｐ１の組立使用回数１２４の「６０」に、組立用単価である「１００」が掛け合わされて、使用者ｐ１の組立使用料金１３４を算出する。料金算出部５７は、使用者ｐ１の滅菌使用回数１２５の「５０」に、滅菌用単価である「１５０」が掛け合わされて、使用者ｐ１の滅菌使用料金１３５を算出し、使用者ｐ１の保管使用回数１２６の「５０」に、保管用単価である「１００」が掛け合わされて、使用者ｐ１の保管使用料金１３６を算出する。ステップＳ１０４では、料金算出部５７は、使用者ｐ２の洗浄使用回数１２３の「６０」に、洗浄用単価である「１５０」が掛け合わされて、使用者ｐ２の洗浄使用料金１３３（図６参照）を算出する。これら算出した使用者ｐ１の回収使用料金１３２、組立使用料金１３４、滅菌使用料金１３５および保管使用料金１３６、ならびに、使用者ｐ２の洗浄使用料金１３３は、使用者ＩＤ１１１および使用期間１２１と関連付けられた状態で、使用料金テーブルＴ１３に記憶される。なお、使用者によって使用されていない工程に対応した使用料金（例えば使用者ｐ１の洗浄使用料金１３３）の項目には、「０」が記載されていてもよいし、いわゆるヌル（ＮＵＬＬ）文字が記載されていてもよい。
【００５８】
次に、ステップＳ１０５では、通知部５９は、使用者ｐ１、ｐ２ごとに請求書を発行することで使用料金１３０を通知する。ここでは、通知部５９は、例えば所定のフォーマットに沿って、使用料金テーブルＴ１３に基づいて、使用者ｐ１の回収使用料金１３２、組立使用料金１３４、滅菌使用料金１３５および保管使用料金１３６、ならびに、合計使用料金が記載された使用者ｐ１用の請求書を作成する。同様に、通知部５９は、使用料金テーブルＴ１３に基づいて、使用者ｐ２の洗浄使用料金１３３（ここでは、合計使用料金）が記載された使用者ｐ２用の請求書を作成する。そして、通知部５９は、使用者ｐ１用の請求書を使用者ｐ１用の端末３５（図１参照）に送信し、かつ、使用者ｐ２用の請求書を使用者ｐ２用の端末３５に送信する。このことで、所定の使用期間における使用者ｐ１、ｐ２の使用料金１３０を通知することができる。なお、上述のように、使用者は、人物のみならず、企業、団体および病院などの組織や、組織の部門または工程であってもよい。例えば組織ごとに使用料金１３０が算出されている場合、通知部５９は、企業、団体および病院などの組織ごとに、使用料金１３０を通知するように構成されている。例えば組織の部門または工程ごとに使用料金１３０が算出されている場合、通知部５９は、部門または工程ごとに、使用料金１３０を通知するように構成されている。
【００５９】
以上、本実施形態では、使用者が読取装置３０で医療器具５の識別標識６を読み取るごとに、受信部５３が受信情報１０１を受信する。そのため、使用者ごとに受信情報１０１を受信した回数である使用回数１２０をカウントし、その使用回数１２０に所定の単価を掛け合わせることで、使用者の使用回数１２０に応じた使用料金１３０を算出することができる。よって、使用回数１２０が少ない使用者には、相対的に安い使用料金１３０を請求することができると共に、使用回数１２０が多い使用者には、相対的に高い使用料金１３０を請求することができる。したがって、使用者の使用回数１２０に応じた使用料金１３０を使用者に請求することができるため、使用者にとって適切な使用料金１３０を算出することができる。
【００６０】
例えば、小規模または中規模な病院にとって、高額な費用が請求される医療器具管理システムを導入し難いことが考えられ、医療器具管理システムの導入障壁が高いことがあり得る。しかしながら、小規模または中規模な病院は、大規模な病院と比較して、所持する医療器具５が少ない場合があり、この場合、医療器具管理システム１００の使用回数１２０が相対的に少なくなる。よって、本実施形態のように、使用回数１２０に応じて使用料金１３０を設定することで、小規模または中規模な病院が医療器具管理システム１００を従来に比べて導入し易くすることができると共に、医療器具管理システム１００の導入障壁を低くすることができる。
【００６１】
また本実施形態では、複数の読取装置３０が識別標識６を読み取った際に、受信情報１０１を受信する。ここでは、医療器具管理システム１００は、クライアントサーバ型のシステムである。そのため、例えば読取装置３０が遠隔地に設置されている場合であっても、受信情報１０１を１か所に集約することができる。よって、受信情報１０１を受信した場所で、各使用者に対する使用料金１３０を算出することができる。したがって、提供者が、読取装置３０を設置している場所を訪問することなく、使用料金１３０を算出することができるため、医療器具管理装置４０の提供者にとって使用料金１３０に関する作業時間を短縮することができる。
【００６２】
本実施形態では、図４に示すように、受信情報１０１の読取情報１０２には、読取日１１２が含まれている。回数カウント部５５は、読取日１１２に基づいて、使用者ごとに、所定の期間（使用期間１２１（図６参照））の間に受信情報１０１を受信した回数を使用回数１２０とする。このことによって、指定した使用期間１２１の間の使用料金１３０を使用者ごとに算出することができる。よって、例えば月単位で使用者ごとの使用料金１３０を算出し易い。
【００６３】
本実施形態では、通知部５９は、料金算出部５７によって算出された使用料金１３０を使用者ごとに通知する。このことによって、使用者ごとに、その使用者に対する使用料金１３０を確実に通知することができる。
【００６４】
本実施形態では、受信部５３は、医療器具５に対して所定の作業が行われる所定の工程１２〜１６において、作業が行われる前に医療器具５に付された識別標識６が読み取られることで、受信情報１０１を受信する。このように、各工程１２〜１６において、作業の前に受信情報１０１を受信することができるため、より正確に使用回数１２０を使用者ごとにカウントすることができる。
【００６５】
本実施形態では、工程１２〜１６ごとに、使用回数１２０をカウントし、そのカウント数に、工程１２〜１６ごとに設定された単価を掛け合わせることで、工程１２〜１６に使用料金１３０を算出している。例えば、回収工程１２において、読取装置３０によって読み取られた際の受信情報１０１をカウントすることで、回収使用回数１２２をカウントし、回収使用回数１２２に、回収用単価を掛け合わせている。このように、工程１２〜１６ごとに使用料金１３０を算出することで、工程１２〜１６の重要度などによって、各工程１２〜１６で使用される際の単価を、工程１２〜１６ごとに設定することができる。
【００６６】
＜第２実施形態＞
以上、第１実施形態に係る医療器具管理システム１００について説明した。次に、第２実施形態に係る医療器具管理システム２００について説明する。上記第１実施形態では、各工程１２〜１６において医療器具管理システム１００を使用した使用回数１２０を算出し、算出した使用回数１２０に所定の単価を掛け合わせることで使用料金１３０を算出し、上記使用料金１３０を使用者に請求していた。しかしながら、第２実施形態に係る医療器具管理システム２００では、上述した各工程１２〜１６で使用された使用回数１２０に応じた使用料金１３０の他に、医療器具管理システム２００の電子マニュアルを閲覧した回数に応じて、マニュアル使用料金を使用者に請求するように構成されている。
【００６７】
以下の説明において、既に説明した構成と同様の構成には同じ符号を使用し、その説明は適宜省略する。
【００６８】
図８は、第２実施形態に係る医療器具管理システム２００のブロック図である。本実施形態では、図８に示すように、医療器具管理システム２００は、第１実施形態と同様に、少なくとも１つ以上の読取装置３０と、少なくとも１つ以上の端末３５と、医療器具管理装置１４０と、使用料金算出装置１５０とを備えている。ここで、読取装置３０は、第１実施形態と同じ構成のため、ここでの説明は省略する。
【００６９】
医療器具管理装置１４０は、記憶部１４１と、第１実施形態と同様の受信部４３と処理部４５とを備えている。記憶部１４１には、電子マニュアル１４３が記憶されている。この電子マニュアル１４３は、各医療器具５において、各工程１２〜１６における作業手順が記載されたマニュアルである。例えば、電子マニュアル１４３は、１つの医療器具５に対して、回収工程１２における医療器具５の分解手順、洗浄工程１３における医療器具５の洗浄手順、組立工程１４における医療器具５の組立手順などが記載されたマニュアルである。この電子マニュアル１４３は、全ての医療器具５に対して用意されていなくてもよく、例えば複数の構成部品によって構成された医療器具５であって、複雑な構造を有する医療器具５に対してのみ用意されていてもよい。例えば、医療器具５が鉗子の場合、鉗子は、複数の構成部品によって構成されておらず、かつ、簡単な構成であるため、鉗子に対する電子マニュアル１４３は用意されていなくてもよい。この電子マニュアル１４３は、例えばＰｏｒｔａｂｌｅ  Ｄｏｃｕｍｅｎｔ  Ｆｏｒｍａｔ（ＰＤＦ）形式のものである。
【００７０】
本実施形態では、端末３５は、医療器具管理装置１４０に通信可能に接続されている。端末３５を操作することで、医療器具管理装置１４０内の電子マニュアル１４３にアクセスすることが可能である。また、電子マニュアル１４３を操作することで、端末３５の表示画面３６（図２参照）に電子マニュアル１４３を表示することが可能である。使用者は、端末３５の表示画面３６（図２参照）を介して、電子マニュアル１４３を閲覧することができる。
【００７１】
本実施形態では、使用料金算出装置１５０は、第１実施形態の使用料金算出装置５０と同様に、記憶部５１と、受信部５３と、回数カウント部５５と、料金算出部５７と、通知部５９とを備えている。本実施形態では、使用料金算出装置１５０は、さらに、マニュアル受信部６３と、マニュアル回数カウント部６５と、マニュアル料金算出部６７とを備えている。マニュアル受信部６３、マニュアル回数カウント部６５およびマニュアル料金算出部６７は、電子マニュアル１４３の使用に応じたマニュアル使用料金を算出するためのものである。上記各部は、ソフトウェアによって構成されていてもよいし、ハードウェアによって構成されていてもよい。また、上記各部は、１つ以上のプロセッサによって実現されるものであってもよいし、回路に組み込まれるものであってもよい。
【００７２】
次に、電子マニュアル１４３の使用に応じたマニュアル使用料金を算出する手順の一例を説明する。具体的には、電子マニュアル１４３の使用者であるマニュアル使用者ｐ１、ｐ２のマニュアル使用料金を算出する手順の一例を図１２のフローチャートに沿って説明する。以下、マニュアル使用者のことを使用者ともいう。
【００７３】
図９は、マニュアル使用履歴テーブルＴ２１の構成例を示す図である。図１０は、マニュアル使用回数テーブルＴ２２の構成例を示す図である。図１１は、マニュアル使用料金テーブルＴ２３の構成例を示す図である。本実施形態では、記憶部５１には、マニュアル使用履歴テーブルＴ２１、マニュアル使用回数テーブルＴ２２およびマニュアル使用料金テーブルＴ２３が記憶されている。
【００７４】
ここでは、図１２のフローチャートに沿って制御が行われる前において、マニュアル受信部６３は、マニュアル受信情報２０１（図９参照）を受信する。ここで、マニュアル受信情報２０１は、電子マニュアル１４３がアクセスされた際に、マニュアル受信部６３に送信される情報である。本実施形態では、マニュアル受信情報２０１には、アクセス情報２０３とマニュアル使用者情報２０２とが含まれている。例えば、本実施形態では、端末３５の表示画面３６には、電子マニュアル１４３を表示させる表示ボタン（図示せず）が表示されており、この表示ボタンは、電子マニュアル１４３に紐付けされている。アクセス情報２０３とは、例えば使用者が端末３５を操作することで、電子マニュアル１４３にアクセスした際の情報のことである。ここで、「アクセス」とは、例えば電子マニュアル１４３に紐付けされた上記表示ボタンがマウスを通じてクリックされて、端末３５の表示画面３６（図２参照）に電子マニュアル１４３が表示された状態のことをいう。本実施形態では、アクセス情報２０３には、マニュアル使用日２１２が含まれる。マニュアル使用日２１２は、使用者が端末３５などを介して電子マニュアル１４３にアクセスした日にちである。例えば、医療器具管理装置１４０は、電子マニュアル１４３にアクセスされた際、そのときの日にちを取得し、その日にちをマニュアル使用日２１２とする。なお、マニュアル使用日２１２には、日にちの他に、電子マニュアル１４３にアクセスした時間が含まれていてもよい。
【００７５】
マニュアル使用者情報２０２とは、電子マニュアル１４３にアクセスした使用者を特定する情報のことである。マニュアル使用者情報２０２は、アクセス情報２０３に関連付けられて記録されている。マニュアル使用者情報２０２には、例えば使用者ＩＤ２１１が含まれる。本実施形態では、端末３５には、使用者ＩＤ２１１が予め記憶されている。端末３５から医療器具管理装置１４０の電子マニュアル１４３にアクセスした際、端末３５に予め記憶された使用者ＩＤ２１１が医療器具管理装置１４０に送信される。医療器具管理装置１４０は、受信した使用者ＩＤ２１１と共に、マニュアル使用日２１２をマニュアル受信部６３に送信する。マニュアル受信部６３は、使用者ＩＤ２１１とマニュアル使用日２１２とを関連付けた状態で、記憶部５１に記憶させる。
【００７６】
本実施形態では、マニュアル受信部６３によってマニュアル受信情報２０１を受信した際、マニュアル受信情報２０１は、図９のマニュアル使用履歴テーブルＴ２１に記憶される。マニュアル使用履歴テーブルＴ２１は、使用者が電子マニュアル１４３にアクセスした履歴を記録するテーブルである。マニュアル使用履歴テーブルＴ２１は、記憶部５１に予め記憶されている。本実施形態では、マニュアル使用履歴テーブルＴ２１には、使用者ＩＤ２１１と、マニュアル使用日２１２との各項目が関連付けられた状態で記憶されている。なお、マニュアル使用履歴テーブルＴ２１には、上記２つの項目以外の項目が含まれていてもよい。図示は省略するが、マニュアル使用履歴テーブルＴ２１には、図４に示すような工程ＩＤ１１３が含まれていてもよい。このことによって、工程１２〜１６ごとに、電子マニュアル１４３の使用履歴を管理することが可能となる。
【００７７】
本実施形態では、マニュアル使用料金が算出される前において、各使用者によって読取装置３０を使用して医療器具５に設けられた識別標識６が読み取られ、医療器具５の管理が医療器具管理装置４０によって行われている。そのため、記憶部５１に記憶されたマニュアル使用履歴テーブルＴ２１には、図９に示すように、使用者ＩＤ２１１と、マニュアル使用日２１２とが関連付けられたデータが記憶されているものとする。なお、図９では、データの一部が記載されており、他のデータは省略されている。
【００７８】
マニュアル回数カウント部６５は、マニュアル受信情報２０１に基づいて、マニュアル受信部６３が受信したアクセス情報２０３の数であるマニュアル使用回数２２２（図１０参照）をマニュアル使用者ごとにカウントする。ここでは、マニュアル回数カウント部６５は、図１２のステップＳ２０１において、マニュアル使用者ｐ１のマニュアル使用回数２２２（図１０参照）をカウントし、図１２のステップＳ２０２において、マニュアル使用者ｐ２のマニュアル使用回数２２２をカウントする。本実施形態では、マニュアル回数カウント部６５は、マニュアル受信部６３によって受信されたマニュアル受信情報２０１に基づいて、マニュアル使用者ｐ１、ｐ２ごとにマニュアル使用回数２２２をカウントする。ここで、マニュアル使用回数２２２とは、マニュアル使用者ｐ１、ｐ２ごとにマニュアル受信情報２０１をマニュアル受信部６３が受信した回数である。ここでは、マニュアル回数カウント部６５は、マニュアル使用履歴テーブルＴ２１に基づいて、マニュアル使用者ｐ１、ｐ２ごとに、マニュアル受信部６３がマニュアル受信情報２０１を受信した回数であるマニュアル使用回数２２２をカウントする。マニュアル回数カウント部６５は、図９のマニュアル使用履歴テーブルＴ２１において、特定の使用者ＩＤ２１１が含まれる行をカウントする。そして、そのカウントした数を特定の使用者ＩＤ２１１に対応したマニュアル使用者のマニュアル使用回数２２２とする。
【００７９】
なお、マニュアル回数カウント部６５は、マニュアル受信部６３がマニュアル受信情報２０１を受信した期間を考慮して、マニュアル使用回数２２２をカウントしてもよい。この場合、マニュアル回数カウント部６５は、マニュアル使用履歴テーブルＴ２１の使用者ＩＤ２１１およびマニュアル使用日２１２に基づいて、マニュアル使用回数２２２をカウントすることが可能である。この場合、マニュアル回数カウント部６５は、まず所定の期間（例えば使用期間２２１（図１０参照））内に該当するマニュアル使用日２１２を特定し、特定されたマニュアル使用日２１２を含む行を抽出する。そして、マニュアル回数カウント部６５は、抽出した行において、特定の使用者ＩＤ２１１が含まれる行をカウントし、カウントした数を、その特定の使用者ＩＤ２１１に対応したマニュアル使用者ｐ１、ｐ２のマニュアル使用回数２２２とする。
【００８０】
本実施形態では、マニュアル回数カウント部６５によってカウントされたマニュアル使用者ｐ１、ｐ２ごとのマニュアル使用回数２２２は、マニュアル使用回数テーブルＴ２２（図１０参照）に記憶される。このマニュアル使用回数テーブルＴ２２は、記憶部５１に予め記憶されている。ここでは、マニュアル使用回数テーブルＴ２２は、使用者ＩＤ２１１と、使用期間２２１と、マニュアル使用回数２２２とが関連付けられて記憶されている。なお、マニュアル使用回数テーブルＴ２２には、上記項目以外の項目が含まれていてもよい。マニュアル使用回数テーブルＴ２２は、例えば図５に示す使用回数テーブルＴ１２と同じような構成であってもよい。すなわち、マニュアル使用回数２２２は、工程１２〜１６ごとのマニュアル使用回数に分解されてもよい。この場合、マニュアル使用回数テーブルＴ２２には、回収使用回数、洗浄使用回数、組立使用回数、滅菌使用回数、保管使用回数が含まれることになる。このことによって、工程１２〜１６のごとに使用された電子マニュアル１４３の回数をカウントすることができる。マニュアル回数カウント部６５は、マニュアル使用者ｐ１、ｐ２ごとにマニュアル使用回数２２２をカウントした後、マニュアル使用者ｐ１、ｐ２の使用者ＩＤ２１１と、使用期間２２１と、マニュアル使用回数２２２とを関連付けた状態で、マニュアル使用回数テーブルＴ２２に記憶させる。
【００８１】
なお、図１０の一例では、図１２のステップＳ２０１において、マニュアル回数カウント部６５は、マニュアル使用履歴テーブルＴ２１（図９参照）の行のうち、マニュアル使用者ｐ１であって、使用期間２２１が「２０１８年６月」に該当するマニュアル使用日２１２である行を抽出し、その抽出した行をカウントする。そして、マニュアル回数カウント部６５は、そのカウント数をマニュアル使用者ｐ１のマニュアル使用回数２２２とする。ここでは、マニュアル使用者ｐ１のマニュアル使用回数２２２は、「４」である。図１２のステップＳ２０２において、マニュアル回数カウント部６５は、マニュアル使用履歴テーブルＴ２１（図９参照）の行のうち、マニュアル使用者ｐ２であって、使用期間２２１が「２０１８年６月」に該当するマニュアル使用日２１２である行を抽出し、その抽出した行をカウントする。そして、マニュアル回数カウント部６５は、そのカウント数をマニュアル使用者ｐ２のマニュアル使用回数２２２とする。ここでは、マニュアル使用者ｐ１のマニュアル使用回数２２２は、「２」である。
【００８２】
次に、マニュアル料金算出部６７は、マニュアル回数カウント部６５によってカウントされたマニュアル使用者ごとのマニュアル使用回数２２２と、予め定められたマニュアル単価とに基づいて、マニュアル使用者ごとの使用料金を算出する。ここでは、ステップＳ２０３において、マニュアル料金算出部６７は、使用者ｐ１のマニュアル使用料金２３２（図１１参照）を算出する。そして、ステップＳ２０４において、マニュアル料金算出部６７は、使用者ｐ２のマニュアル使用料金２３２を算出する。ここでは、マニュアル料金算出部６７は、マニュアル回数カウント部６５によってカウントされたマニュアル使用者ｐ１、ｐ２ごとのマニュアル使用回数２２２に、予め設定された所定のマニュアル単価を掛け合わせて、マニュアル使用者ｐ１、ｐ２ごとの使用料金２３２を算出する。このマニュアル単価は、記憶部５１に予め記憶されたものである。このマニュアル単価は、複数のマニュアル使用者ｐ１、ｐ２に対して一定の単価であってもよいし、複数のマニュアル使用者ｐ１、ｐ２のそれぞれまたは一部に対して異なる値であってもよい。
【００８３】
マニュアル料金算出部６７によって算出されたマニュアル使用者ｐ１、ｐ２ごとの使用料金２３２は、マニュアル使用料金テーブルＴ２３（図１１参照）に記憶される。マニュアル使用料金テーブルＴ２３は、使用者ＩＤ２１１と、使用期間２２１と、マニュアル使用料金２３２とが関連付けられて記憶されている。なお、マニュアル使用料金テーブルＴ２３には、上記項目以外の項目が含まれていてもよい。マニュアル使用料金テーブルＴ２３は、例えば図６に示す使用料金テーブルＴ１３と同じような構成であってもよい。すなわち、マニュアル使用料金２３２は、工程１２〜１６ごとのマニュアル使用料金に分解されてもよい。この場合、マニュアル使用料金テーブルＴ２３には、回収使用料金、洗浄使用料金、組立使用料金、滅菌使用料金、保管使用料金が含まれることになる。このことによって、工程１２〜１６のごとに使用された電子マニュアル１４３の使用料金を算出することができる。なお、回収使用料金、洗浄使用料金、組立使用料金、滅菌使用料金および保管使用料金を算出する際に使用されるそれぞれのマニュアル単価は、同じ単価であってもよいし、一部が異なる単価であってもよい。回収使用料金、洗浄使用料金、組立使用料金、滅菌使用料金および保管使用料金を算出する際に使用される単価は、各工程１２〜１６ごとに設定されてもよい。
【００８４】
なお、図１１の一例では、図１２のステップＳ２０３において、マニュアル料金算出部６７は、使用者ｐ１のマニュアル使用回数２２２である「４」に、マニュアル単価である「１００」が掛け合わされることで、使用者ｐ１のマニュアル使用料金２３２が算出される。図１２のステップＳ２０４において、マニュアル料金算出部６７は、使用者ｐ２のマニュアル使用回数２２２である「２」に、マニュアル単価である「１００」が掛け合わされることで、使用者ｐ２のマニュアル使用料金２３２が算出される。
【００８５】
以上のようにして、マニュアル使用料金２３２が算出された後、ステップＳ２０５では、通知部５９は、マニュアル使用料金２３２をマニュアル使用者ｐ１、ｐ２ごとに通知する。なお、通知部５９による通知方法は、第１実施形態と同様に、所定のフォーマットに沿った請求書に、マニュアル使用料金２３２を記載する。そして、通知部５９は、その請求書をプリンタによって印刷させてもよいし、マニュアル使用者ｐ１、ｐ２の端末３５に請求書を送信してもよい。また、例えば使用者が、端滅３５の表示画面３６に表示された請求通知ボタン（図示せず）を、操作部３７を操作して押すことで、通知部５９は、マニュアル使用料金２３２を表示画面３６に表示させるように構成されていてもよい。また、通知部５９は、例えば使用料金１３０をリアルタイムで表示画面３６に表示させるように構成されていてもよい。また、第１実施形態の使用者と、本実施形態のマニュアル使用者とが同一の場合、通知部５９は、使用者に対して、工程１２〜１６ごとの使用料金と併せて、マニュアル使用料金２３２を通知してもよい。
【００８６】
以上、本実施形態では、読取装置３０によって医療器具５の識別標識６を読み取った回数に応じた使用料金の他に、電子マニュアル１４３にアクセスした回数に応じてマニュアル使用料金２３２が設定されている。ここでは、電子マニュアル１４３の使用料金２３２を従量制の使用料金２３２にすることができる。そのため、電子マニュアル１４３のアクセス回数に応じた使用料金２３２を請求することができる。したがって、使用者にとって適切なマニュアル使用料金２３２を算出することができる。
【００８７】
上記各実施形態では、使用料金算出装置５０、１５０の受信部５３は、医療器具管理装置４０、１４０から受信情報１０１を受信していた。しかしながら、受信部５３は、読取装置３０が医療器具５の識別標識６を読み取る際、読取装置３０から受信情報１０１を直接受信してもよい。この場合、受信情報１０１の読取日１１２は省略されてもよい。この場合、使用料金算出装置５０、１５０は、受信部５３が受信情報１０１を受信したときの日にちを取得するように構成されていてもよい。
【００８８】
上記各実施形態では、読取装置３０によって医療器具５の識別標識６が読み取られたタイミングで、受信部５３は受信情報１０１を受信していた。しかしながら、受信部５３は、例えば所定の日にちに、所定の期間の間の受信情報１０１をまとめて受信してもよい。この場合の所定の日にちとは、例えば使用者ごとの使用料金１２０を算出する日にちである。
【００８９】
上記各実施形態では、読取装置３０は、医療器具管理装置４０、１４０に通信可能に接続され、医療器具管理装置４０、１４０を介して、使用料金算出装置５０、１５０に間接的に、かつ、通信可能に接続されていた。しかしながら、読取装置３０は、端末３５に通信可能に接続され、端末３５および医療器具管理装置４０、１４０を介して、使用料金算出装置５０、１５０に間接的に接続されてもよい。また、読取装置３０は、使用料金算出装置５０、１５０に直接、通信可能に接続されてもよい。
【符号の説明】
【００９０】
５  医療器具
６  識別標識
３０  読取装置
４０、１４０  医療器具管理装置
５０、１５０  使用料金算出装置
５１  記憶部
５３  受信部
５５  回数カウント部
５７  料金算出部
５９  通知部
６３  マニュアル受信部
６５  マニュアル回数カウント部
６７  マニュアル料金算出部
１００、２００  医療器具管理システム
１０１  受信情報
１０２  読取情報
１０３  使用者情報
【図１】
2020008980.tif 000003
【図２】
2020008980.tif 000004
【図３】
2020008980.tif 000005
【図４】
2020008980.tif 000006
【図５】
2020008980.tif 000007
【図６】
2020008980.tif 000008
【図７】
2020008980.tif 000009
【図８】
2020008980.tif 000010
【図９】
2020008980.tif 000011
【図１０】
2020008980.tif 000012
【図１１】
2020008980.tif 000013
【図１２】
2020008980.tif 000014